(57)【要約】【課題】患者の検査を管理する患者検査管理システムを提供する。【解決手段】本発明に係わる患者検査管理システム１は、患者の検査の内容が記述された検査指示情報３９９の入力を受け付けて、ＩＣカード１００に検査指示情報３９９を送信する診察医師端末装置３００と、検査指示情報３９９が記憶されるＩＣカード１００と、ＩＣカード１００から読み出した検査指示情報３９９に従い動作を制御する検査装置４００とから構成される。【選択図】図１
2008021302.tif 000002
【特許請求の範囲】
【請求項１】
ＩＣカードと、診察医師端末装置と、検査装置と、から構成される患者検査管理システム
であって、
前記ＩＣカードは、
検査で利用される検査装置を識別する検査装置識別情報と、前記検査装置識別情報で特定される前記検査装置の動作条件情報とを含む検査情報が、前記ＩＣカードを所持する患者が受ける検査ごとに記述されている検査指示情報を記憶する記憶手段と、
前記診察医師端末装置から前記検査指示情報を受信する検査指示受信手段と、
前記診察医師端末装置から受信した前記検査指示情報を前記記憶手段に記録する検査指示記録手段と、
前記検査装置から検査指示送信要求を受け付けて、前記記憶手段に記憶された前記検査指示情報を返信する検査指示返信手段と、
を備え、
前記診察医師端末装置は、
前記検査指示情報の入力を受け付ける検査指示受付手段と、
前記検査指示受付手段が受け付けた前記検査指示情報を前記ＩＣカードに送信する検査指示送信手段と、
を備え、
前記検査装置は、
前記検査指示送信要求を前記ＩＣカードに送信する検査指示送信要求発行手段と、
前記ＩＣカードから前記検査指示情報を受信する検査指示受信手段と、
受信した前記検査指示情報に含まれている前記検査装置識別情報から前記検査装置に対応した前記検査情報を特定し、特定した前記検査情報の前記動作条件情報から前記検査装置の動作を規定する検査制御データを作成する検査制御データ作成手段と、
作成された前記検査制御データに従い、前記検査装置の動作を制御する検査制御手段と、
を備える、
ことを特徴とする患者検査管理システムである。
【請求項２】
前記ＩＣカードは、
前記検査指示削除依頼を前記検査装置から受信する検査指示削除依頼受信手段と、
受信した前記検査指示削除依頼に従い、前記記憶手段に記憶されている前記検査指示情報の中から、前記検査指示削除依頼で示される前記検査情報を削除する検査指示削除手段と、を備え、
前記検査装置は、
前記検査実行手段が検査を実行した後、実行した検査に対応する前記検査情報を削除する前記検査指示削除依頼を作成し、作成した前記検査指示削除依頼を前記ＩＣカードに送信する検査指示削除依頼送信手段と、
を備える、
ことを特徴とする請求項１に記載の患者検査管理システム。
【請求項３】
前記検査装置は、
受信した前記検査指示情報と前記検査指示削除依頼を参照し、前記検査指示情報で示される検査をすべて完了したことを確認する検査指示完了確認手段を備えることを特徴とする請求項１または請求項2に記載の患者検査管理システム。
【請求項４】
検査で利用される検査装置を識別する検査装置識別情報と、前記検査装置識別情報で特定される前記検査装置の動作条件とを含む検査情報が、ＩＣカードを所持する患者が受ける検査ごとに記述されている検査指示情報を診察医師端末装置が受け付ける検査指示受付ステップと、
前記診察医師端末装置が、前記検査指示受付ステップで受け付けた前記検査指示情報を前記ＩＣカードへ送信し、前記検査指示情報を前記ＩＣカードに記録させる検査指示記録ステップと、
前記患者が検査を受ける前記検査装置が、前記ＩＣカードに記録された前記検査指示情報を読み取る検査指示読取ステップと、
前記ＩＣカードから読み取った前記検査指示情報に含まれている前記検査情報の中から、前記検査装置に対応した前記検査情報を用いて、前記検査装置の動作を規定する検査制御データを作成する検査制御データ作成ステップと、
前記する検査制御データ作成ステップで作成された前記検査制御データに従い、前記検査装置の動作を制御する検査装置動作ステップと、
を含んだ手順でなされることを特徴とする患者検査管理方法。
【請求項５】
前記検査装置動作ステップが実行された後、前記検査装置が、実行した検査に対応する前記検査情報を削除する検査指示削除依頼を作成し、作成した前記検査指示削除依頼を前記ＩＣカードに送信することで、前記ＩＣカードに記憶されている前記検査指示情報の中から、実行された検査に対応する前記検査情報が削除される検査指示削除ステップと、
を含んだ手順でなされることを特徴とする請求項４に患者検査管理方法。
【請求項６】
前記検査指示削除ステップが実行された後、前記検査装置が、前記検査指示と前記検査指示削除依頼とを照合して、前記検査指示情報で示される検査すべて完了したことを確認する検査指示完了確認ステップと、
を含んだ手順でなされることを特徴とする請求項４、または、請求項５に患者検査管理方
法。
【発明の詳細な説明】
【技術分野】
【０００１】
本発明は、病院における患者の検査を管理するシステムおよびその方法に関する。
【背景技術】
【０００２】
携帯型情報記憶装置の一つであるＩＣカードを利用した病院内の業務に係わる発明が数多く開示されている。
【０００３】
たとえば、特許文献１では、ＩＣカードに健康診断の検査項目を記憶させておき、健康診
断の検査結果を、このＩＣカードに記録する技術が開示されている。（従来技術１）
更に、特許文献２では、本人確認用情報を記録したＩＣカードを患者に所持させて、手術や検査や投薬の本人確認に、ＩＣカードを用いる技術が開示されている。（従来技術２）
【特許文献１】特開２０００−１３９８４５号公報（３〜５ページ、図１、４）
【特許文献２】特開２００２−３４２４７７号公報（５〜６ページ、図５、６）
【発明の開示】
【発明が解決しようとする課題】
【０００４】
しかしながら、従来技術１や従来技術２は、病院に来院する患者の検査を管理するための技術ではなく、指示されていない検査事項の実施や、実施すべき検査事項の実行漏れを防止することはできなかった。
【０００５】
そこで、本発明は、病院に来院する患者の検査を管理する患者検査管理システムおよびその方法を提供し、指示されていない検査事項の実施や、実施すべき検査事項の実行漏れを防止することを目的とする。
【課題を解決するための手段】
【０００６】
本発明は、以下のような解決手段により、前記課題を解決する。すなわち、第１の発明は、ＩＣカードと、診察医師端末装置と、検査装置と、から構成される患者検査管理システムであって、前記ＩＣカードは、検査で利用される検査装置を識別する検査装置識別情報と、前記検査装置識別情報で特定される前記検査装置の動作条件情報とを含む検査情報が、前記ＩＣカードを所持する患者が受ける検査ごとに記述されている検査指示情報を記憶する記憶手段と、前記診察医師端末装置から前記検査指示情報を受信する検査指示受信手段と、前記診察医師端末装置から受信した前記検査指示情報を前記記憶手段に記録する検査指示記録手段と、前記検査装置から検査指示送信要求を受け付けて、前記記憶手段に記憶された前記検査指示情報を返信する検査指示返信手段とを備え、前記診察医師端末装置は、前記検査指示情報の入力を受け付ける検査指示受付手段と、前記検査指示受付手段が受け付けた前記検査指示情報を前記ＩＣカードに送信する検査指示送信手段とを備え、前記検査装置は、前記検査指示送信要求を前記ＩＣカードに送信する検査指示送信要求送信手段と、前記ＩＣカードから前記検査指示情報を受信する検査指示受信手段と、受信した前記検査指示情報に含まれている前記検査装置識別情報から前記検査装置に対応した前記検査情報を特定し、特定した前記検査情報の前記動作条件情報から前記検査装置の動作を規定する検査制御データを作成する検査制御データ作成手段と、作成された前記検査制御データに従い検査を実行する検査実行手段とを備えることを特徴とする患者検査管理システムである。
【０００７】
上述した第１の発明によれば、前記ＩＣカードには、前記患者が受ける検査に係わる前記検査指示情報が記憶されているため、前記患者が所持する前記ＩＣカードを利用して前記患者の検査を管理することが可能になる。
【０００８】
更に、前記検査指示情報には、検査で利用される前記検査装置を識別する前記検査装置識別情報と、前記検査装置識別情報で特定される前記検査装置の前記動作条件情報とを含む前記検査情報が、前記ＩＣカードを所持する患者が受ける検査ごとに記述されているため、自装置に対応する前記検査指示情報を前記検査装置が読み取り、前記動作条件情報に基づいて動作を制御することで、指示されていない検査事項の実施を防止できる。
【０００９】
更に、第２の発明は、前記ＩＣカードは、前記検査指示削除依頼を前記検査装置から受信する検査指示削除依頼受信手段と、受信した前記検査指示削除依頼に従い、前記記憶手段に記憶されている前記検査指示情報の中から、前記検査指示削除依頼で示される前記検査情報を削除する検査指示削除手段とを備え、前記検査装置は、前記検査実行手段が検査を実行した後、実行した検査に対応する前記検査情報を削除する前記検査指示削除依頼を作成し、作成した前記検査指示削除依頼を前記ＩＣカードに送信する検査指示削除依頼送信手段とを備えることを特徴とする第１の発明に記載の患者検査管理システムである。
【００１０】
上述した第２の発明によれば、前記ＩＣカードに記憶された前記検査指示情報の中から、前記検査装置が実行した検査に対応する前記検査情報が削除されるため、前記検査指示情報から実施すべき検査事項の実行漏れがないか確認できる。
【００１１】
更に、第３の発明によれば、前記検査装置は、受信した前記検査指示情報と前記検査指示削除依頼を参照し、前記検査指示情報で示される検査をすべて完了したことを確認する検査指示完了確認手段を備えることを特徴とする第１の発明または第２の発明に記載の患者検査管理システムである。
【００１２】
上述した第３の発明によれば、前記検査装置が前記検査指示完了確認手段を備えるので、前記患者は速やかにすべての検査が終了したことがわかるようになる。
【００１３】
更に、第４の発明は、検査で利用される検査装置を識別する検査装置識別情報と、前記検査装置識別情報で特定される前記検査装置の動作条件とを含む検査情報が、ＩＣカードを所持する患者が受ける検査ごとに記述されている検査指示情報を診察医師端末装置が受け付ける検査指示受付ステップと、診察医師端末装置が、前記検査指示受付ステップで受け付けた前記検査指示情報を前記ＩＣカードへ送信し、前記検査指示情報を前記ＩＣカードに記録させる検査指示記録ステップと、前記患者が検査を受ける前記検査装置が前記ＩＣカードに記録された前記検査指示情報を読み取る検査指示読取ステップと、前記ＩＣカードから読み取った前記検査指示情報に含まれている前記検査情報の中から、前記検査装置に対応した前記検査情報を用いて、前記検査装置の動作を規定する検査制御データを作成する検査制御データ作成ステップと、前記検査制御データ作成ステップで作成された前記検査制御データに従い、前記検査装置が動作する検査装置動作ステップと、を含んだ手順でなされることを特徴とする患者検査管理方法である。
【００１４】
更に、第５の発明は、前記検査装置動作ステップが実行された後、前記検査装置が、実行した検査に対応する前記検査情報を削除する検査指示削除依頼を作成し、作成した前記検査指示削除依頼を前記ＩＣカードに送信することで、前記ＩＣカードに記憶されている前記検査指示情報の中から、実行された検査に対応する前記検査情報が削除される検査指示削除ステップと、を含んだ手順でなされることを特徴とする第４の発明に記載の患者検査管理方法である。
【００１５】
更に、第６の発明は、前記検査指示削除ステップが実行された後、前記検査装置が、前記検査指示と前記検査指示削除依頼とを照合して、前記検査指示情報で示される検査すべて完了したことを確認する検査指示完了確認ステップと、を含んだ手順でなされることを特徴とする第４の発明または第５の発明に記載の患者検査管理方法である。
【００１６】
第４の発明〜第６の発明によれば、上述した第１の発明~第３の発明と同様の効果が得られる。
【発明の効果】
【００１７】
本願発明によれば、病院に来院する患者の検査を管理する患者検査管理システムおよびその方法を提供でき、指示されていない検査事項の実施や、実施すべき検査事項の実行漏れを防止することができる。
【発明を実施するための最良の形態】
【００１８】
（実施例）
以下、本発明の実施の形態について、図面等を参照しながら詳しく説明する。図１は、患者検査管理システム１の概要を説明する図である。患者検査管理システム１は、ＩＣカード１００と、診察医師端末装置３００と、検査装置４００とから構成される。
【００１９】
検査で利用される検査装置４００を識別する検査装置識別情報と、検査装置識別情報で特定される検査装置４００の動作条件とを含む検査情報が、ＩＣカード１００を所持する患者が受ける検査ごとに記述されている検査指示情報３９９を診察医師端末装置３００が受け付けると、診察医師端末装置３００は検査指示情報３９９をＩＣカード１００へ送信し、送信した検査指示情報３９９はＩＣカード１００に記憶される。
【００２０】
ＩＣカード１００に記憶された検査指示情報３９９は、患者が検査を受けるときに、検査装置４００によって読み取られる。患者は、ＩＣカード４００から読み取られた検査指示情報３９９に従い検査装置４００で検査を受けることで、指示されていない検査事項の実施や、実施すべき検査事項の漏れが防止される。
【００２１】
図４は、ＩＣカード１００に記憶される検査指示情報３９９を説明する図である。検査指示情報３９９には、検査指示情報３９９を特定する情報である検査指示特定情報３９９ａに関連付けて、検査で利用される検査装置４００の検査装置識別情報３９９ｂ１と、検査装置識別情報３９９ｂ２で特定される検査装置４００の動作条件情報３９９ｂ２とを含む検査情報３９９ｂが、ＩＣカード１００を所持する患者が受ける検査ごとに記述されている。
【００２２】
検査指示情報３９９に含まれる検査指示特定情報３９９ａは、検査指示情報３９９ごとにユニークな情報で、検査指示情報３９９を特定する際に利用される。検査情報３９９ｂに含まれる検査装置識別情報３９９ｂ１は、検査に利用される検査装置４００（レントゲン撮影機、ＣＴスキャン装置など）ごとにユニークな情報で、この検査装置識別情報３９９ｂ１によって、患者が利用する検査装置４００で患者の検査項目が示される。なお、検査装置識別情報３９９ｂ１で特定される検査装置４００には、検査指示情報３９９に含ませる検査装置識別情報３９９ｂ１と同じ値である検査装置識別情報４９１が記憶されている。
【００２３】
検査情報３９９ｂに含まれる動作条件情報３９９ｂ２は、検査装置指示情報３９９ｂ１で特定される検査装置４００における患者の検査条件を示す情報で、例えば、検査装置４００がレントゲン撮影機ならば、動作条件情報３９９ｂ２として、撮影回数や、撮影する体の箇所などが記述される。
【００２４】
図２は、図１に図示した患者検査管理システム１の処理の流れを説明する図である。
【００２５】
診察医師端末装置３００は、医師から検査指示情報３９９を受け付けると、受け付けた検査指示情報３９９をＩＣカード１００に送信する（図２（１））。ＩＣカード１００は、診察医師端末３００から検査指示情報３９９を受信すると、受信した検査指示情報３９９を記憶手段１９０に記憶する（同（２））。
【００２６】
患者が検査装置４００で検査を受けるとき、検査装置４００がＩＣカード１００を検出すると、検査装置４００は検査指示送信要求をＩＣカード１００に送信する（同（１１））。
【００２７】
検査装置４００から検査指示送信要求を受け付けたＩＣカード１００は、記憶手段１９０に記憶された検査指示情報３９９を検査装置４００に返信する（同（１２））。
【００２８】
検査装置４００が、検査指示情報３９９をＩＣカード１００から受信する（同（１３））と、検査装置４００は、受信した検査指示情報３９９に含まれる検査情報３９９ｂの中から、自装置の検査装置識別情報４９１と同じ値である検査装置識別情報３９９ｂ１を有する検査情報３９９ｂを検索し、検索した検査情報３９９ｂの動作条件情報３９９ｂ２から検査制御データを作成し（同（１４））、検査装置４００は、作成した検査制御データに基づき検査装置４００の動作を制御する（同（１５））。
【００２９】
検査装置４００は検査制御データに基づく動作が終了すると、検査装置４００が実行した検査に対応する検査情報３９９ｂをＩＣカード１００から削除するために、自装置の検査装置識別情報４９１を含む検査指示削除依頼を作成して、ＩＣカード１００に送信する（同（２１））。
【００３０】
ＩＣカード１００は、検査装置４００から検査指示削除依頼を受信すると、検査指示削除依頼に含まれる検査装置識別情報４９１と値が同じである検査装置識別情報３９９ｂ１を有する検査情報３９９ｂ２を検査指示情報３９９から削除する（同（２２））。
【００３１】
検査装置４００は、ＩＣカード１００に検査指示削除依頼を送信した後、受信した検査指示情報３９９の中に削除した以外の検査情報３９９ｂがないか確認し、削除した以外の検査情報３９９ｂ２が検査指示情報３９９にないときは、すべての検査が終了したことを患者へ通知する。
【００３２】
上述した患者検査管理システム１によれば、患者が検査を受ける内容が記述された検査指示情報３９９をＩＣカード１００に記憶し、検査を受けるときに検査装置４００がＩＣカード１００から読み取った検査指示情報３９９に従い検査を実行することで、指示された検査事項通りに検査を実施でき、更に、実施すべき検査事項の漏れが防止できる。
【００３３】
例えば、患者がレントゲン撮影を受ける場合、患者の検査に利用するレントゲン撮影機とレントゲンの撮影回数を動作条件情報３９９ｂ２に記録しておけば、動作条件情報３９９ｂ２で示される回数を超えた撮影をレントゲン技師が誤って行おうとしても、検査装置４００がそれ以上の操作を受け付けなくすることによって、患者がＸ線を過度に受けることを防止できる。
【００３４】
なお、検査指示情報３９９の検査情報３９９ｂに、検査装置識別情報３９９ｂ１で特定される検査装置４００が設置されている検査科を識別する情報を記憶しておけば、患者の検査科への入退室の管理にＩＣカード１００に記憶された検査指示情報３９９を利用することができるようになる。
【００３５】
このとき、検査科のドアゲートに備え付けらたＩＣカードリーダライタがＩＣカード１００を検出すると、ドアゲートはＩＣカード１００に記憶されている検査指示情報３９９を読み取り、ドアゲートが保持している情報と比較することによって、患者は検査を受ける検査科のみに入室できるようになる。また、患者が検査室を退出するときに、ＩＣカードに検査情報３９９が残っている場合などのＩＣカード１００に検査が終了していない検査情報３９９ｂがあると、ドアゲートに備えられつけられているＩＣカードリーダライタがＩＣカード１００を検出したときに、警告音を発生するようにしてもよい。
【００３６】
図３は、患者検査管理システム１の詳細な構成図である。患者検査管理システム１は、ＩＣカード１００と、診察医師端末装置３００と、検査装置４００とから構成される。
【００３７】
ＩＣカード１００は、検査指示受信手段１２０と、検査指示記録手段１３０と、検査指示返信手段１４０と、検査指示削除依頼受信手段１７０と、検査指示削除手段１８０と、記憶手段１９０とを備える。記憶手段１９０には検査指示情報３９９が記憶される。
【００３８】
検査指示受信手段１２０は、検査指示情報３９９を診察医師端末装置３００から受信し、検査指示記録手段１３０は、検査指示受信手段１２０が受信した検査指示情報３９９を記憶手段１９０に記録する。
【００３９】
検査指示返信手段１４０は、検査装置４００から検査指示送信要求を受け付けて、記憶手段１９０に記憶している検査指示情報３９９を検査装置４００へ返信する。
【００４０】
検査指示削除依頼受信手段１７０は、検査装置検査４００から検査指示削除依頼を受信し、検査指示削除手段１８０は、検査指示削除依頼受信手段１７０が受信した検査指示削除依頼に含まれる検査装置特定情報４９１と値が一致する検査装置識別情報３９９ｂ１を有する検査情報３９９ｂを検査指示情報３９９から削除する。
【００４１】
診察医師端末装置３００は、検査指示受付手段３１０と、検査指示送信手段３２０とを備える。
【００４２】
検査指示受付手段３１０は、医師から検査指示情報３９９の入力を受け付け、検査指示送信手段３２０は、検査指示受付手段３１０が受け付けた検査指示情報３９９を、ＩＣカード１００へ送信する。
【００４３】
検査装置４００は、検査指示送信要求送信手段４１０と、検査指示受信手段４４０と、検査制御データ作成手段４５０と、検査装置制御手段４６０と、検査指示削除依頼送信手段４７０と、検査指示完了確認手段４２０と、記憶手段４９０とを備える。記憶手段４９０には、検査装置４００を特定する情報である検査装置特定情報４９１が記憶される。
【００４４】
検査指示送信要求送信手段４１０は、患者の検査を開始する前に検査指示送信要求をＩＣカード１００に送信し、検査指示受信手段４４０は、検査指示送信要求を送信したＩＣカード１００から検査指示情報３９９を受信する。
【００４５】
検査制御データ作成手段４５０は、ＩＣカード１００から受信した検査指示情報３９９に含まれる検査情報３９９ｂの中から、自装置の検査装置識別情報４９１に対応する検査情報３９９ｂを検索し、検索した検査情報３９９ｂの動作条件情報３９９ｂ２を用いて検査制御データを作成する。検査装置制御手段４６０は、検査制御データ作成手段４５０が作成した検査制御データを用いて、検査装置４００の動作を制御する。
【００４６】
検査指示削除依頼送信手段４７０は、患者の検査が終了すると、検査指示削除依頼を作成し、ＩＣカード１００へ送信する。
【００４７】
検査指示完了確認手段４２０は、ＩＣカード１００に検査指示削除依頼を送信した後、受信した検査指示情報３９９の中に削除した以外の検査情報３９９ｂがないかを確認し、削除した以外の検査情報３９９ｂが検査指示情報３９９にないときは、すべての検査が終了したことを患者へ通知する。
【００４８】
以上詳しく説明したように、本願発明によれば、指示されていない検査事項が実施されてもこれを防ぐことができた。あるいは、実施すべき検査事項の漏れを防ぐことができた。
【００４９】
なお、検査装置４００の検査指示削除依頼送信手段４７０は、図２（２１）において、患者の検査が終了したとき、検査装置４００が有している検査装置特定情報４９１を含む検査指示削除依頼に、検査装置４００で実施された検査の内容を示す検査結果情報を含ませ、実施した検査に対応する検査情報３９９ｂをＩＣカードから削除すると共に、検査結果情報をＩＣカード１００に記録させてもよい。
【００５０】
このときＩＣカード１００の検査指示削除手段１８０は、検査装置識別情報４９１と検査結果情報とを含む検査情報削除依頼を受信すると、検査装置特定情報４９１と同じ値の検査装置指示情報３９９ｂ１を含む検査情報３９９を記憶手段１９０から削除すると共に、検査情報削除依頼に含まれる検査装置識別情報４９１に関連付けて、検査情報削除依頼に含まれる検査結果情報を記憶手段１９０に記憶する。
【図面の簡単な説明】
【００５１】
【図１】患者検査管理システムの概要を説明する図。
【図２】患者検査管理システムの処理の流れを説明する図。
【図３】検査管理システムの詳細な構成図。
【図４】検査指示情報を説明する図。
【符号の説明】
【００５２】
１  患者検査管理システム
１００  ＩＣカード
１２０  検査指示受信手段
１３０  検査指示記録手段
１４０  検査指示返信手段
１７０  検査指示削除依頼受信手段
１８０  検査指示削除手段
１９０  記憶手段
３００  診察医師端末装置
３１０  検査指示受付手段
３２０  検査指示送信手段
３９９  検査指示情報
３９９ａ  検査指示特定情報
３９９ｂ  検査情報
３９９ｂ１  検査情報に記憶された検査装置識別情報
３９９ｂ２  動作条件情報
４００  検査装置
４１０  検査指示送信要求送信手段
４２０  検査指示完了確認手段
４４０  検査指示受信手段
４５０  検査制御データ作成手段
４６０  検査装置制御手段
４７０  検査指示削除依頼送信手段
４９０  記憶手段
４９１  検査装置に記憶された検査装置識別情報
【図１】
2008021302.tif 000003
【図２】
2008021302.tif 000004
【図３】
2008021302.tif 000005
【図４】
2008021302.tif 000006